(57)【要約】【課題】店舗が指定したテキストや画像などから、各種端末用のクーポンを一括して作成し、消費者の任意の種類の端末へクーポンを提供可能とする。【解決手段】作成依頼受信部３１は、依頼者端末１からテキストや画像などのデータと、配信期間を受信する。クーポン作成部３２は、レイアウト情報記憶部４２から各種デバイス用のレイアウトデータを読み出し、このレイアウトデータで指定されるテキストや画像の表示位置に、受信したテキストや画像を埋め込んでクーポン画面データを作成する。クーポン掲載部３５は、作成された各種デバイス用のクーポン画面データを掲載予約クーポン記憶部４４に登録し、掲示開始日時になると掲載クーポン記憶部４５へ移す。クーポン提供部３７は、配信要求元の消費者端末５の種類に対応したクーポン画面データを掲載クーポン記憶部４５から読み出して配信する。取り下げ部３６は、掲載期間を過ぎたクーポン画面データを削除する。【選択図】図１
2010237978.tif 000002
【特許請求の範囲】
【請求項１】
クーポン配信装置と、当該クーポン配信装置とネットワークを介して接続される消費者端末とを有するクーポン配信システムであって、
前記クーポン配信装置は、
デバイスの種類と、当該種類のデバイスが表示可能なフォーマットによるクーポン画面のレイアウトデータとを対応づけて記憶するレイアウト情報記憶部と、
クーポン画面データと、デバイスの種類と、配信期間とを対応づけて記憶する掲載クーポン記憶部と、
クーポン画面に表示するテキストまたは画像のデータと、クーポンの配信期間を受信する作成依頼受信部と、
前記レイアウト情報記憶部からデバイスの種類に対応した前記レイアウトデータを読み出し、当該レイアウトデータにより示されるテキストまたは画像の組み込み位置に、前記作成依頼受信部が受信した前記テキストまたは前記画像のデータを組み込んでクーポン画面データを生成するクーポン作成部と、
前記クーポン作成部がデバイスの種類に対応した前記レイアウトデータに基づいて作成した前記クーポン画面データと、当該デバイスの種類と、前記作成依頼受信部が受信した前記配信期間とを対応づけて前記掲載クーポン記憶部に書き込むクーポン掲載部と、
前記掲載クーポン記憶部から、前記配信期間により示されるクーポン取り下げ日時を経過した前記クーポン画面データを削除するクーポン取り下げ部と、
前記消費者端末からデバイスの種類とクーポンの配信要求とを受信し、当該デバイスの種類に対応した前記クーポン画面データを前記掲載クーポン記憶部から読み出して返送するクーポン提供部と、
を備え、
前記消費者端末は、
前記クーポン配信装置に自端末のデバイスの種類とクーポンの配信要求とを送信するとともに、当該配信要求に対応して受信した前記クーポン画面データを表示させる処理部を備える、
ことを特徴とするクーポン配信システム。
【請求項２】
前記ネットワークには依頼者端末が接続され、
前記レイアウト情報記憶部は、依頼者確認用のクーポン画面データの生成に用いるレイアウトデータである確認用レイアウトデータをさらに記憶し、
前記クーポン作成部は、前記レイアウト情報記憶部から前記確認用レイアウトデータを読み出し、当該確認用レイアウトデータにより示されるテキストまたは画像の組み込み位置に、前記作成依頼受信部が受信した前記テキストまたは前記画像のデータを組み込んで依頼者確認用のクーポン画面データを生成するとともに、前記依頼者端末から前記依頼者確認用のクーポン画像データに対する修正を受信した場合に、前記レイアウト情報記憶部から各デバイスの種類に対応した前記レイアウトデータを複数読み出し、それぞれのレイアウトデータにより示されるテキストまたは画像の組み込み位置に、前記作成依頼受信部が受信した前記テキストまたは前記画像のデータを組み込み、かつ、前記依頼者端末から受信した前記依頼者確認用のクーポン画像データに対する修正を行なったクーポン画面データを生成し、
前記クーポン配信装置は、
前記クーポン作成部が生成した前記依頼者確認用のクーポン画面データを前記ネットワークに接続される依頼者端末へ送信する作成イメージ送信部をさらに備え、
前記依頼者端末は、
前記クーポン配信装置から受信した前記依頼者確認用のクーポン画像データを表示させるとともに、依頼者によって入力された当該クーポン画像データに対する修正を前記クーポン配信装置に送信する処理部を備える、
ことを特徴とする請求項１に記載のクーポン配信システム。
【請求項３】
前記クーポン配信装置は、
クーポンの配信要求の受信ログと配信要求数を記憶するログ記憶部と、
前記消費者端末から受信した配信要求から消費者識別情報を取得し、取得した当該消費者識別情報と、配信要求受信日時とを対応づけてログ記憶部に書き込み、前記ログ記憶部に前記配信期間内の配信要求受信日時と対応して当該消費者識別情報が複数登録されていない場合に、前記ログ記憶部に記憶されている前記配信要求数を１加算するログ管理部とをさらに備える、
ことを特徴とする請求項１または請求項２に記載のクーポン配信システム。
【請求項４】
前記クーポン配信装置は、企業識別情報に対応した複数の店舗識別情報と、当該店舗識別情報により特定される店舗に関する情報とを記憶する顧客情報記憶部をさらに備え、
前記作成依頼受信部は、さらに、企業識別情報を受信し、
前記クーポン作成部は、デバイスの種類に対応した前記レイアウトデータを前記レイアウト情報記憶部から読み出すとともに、前記作成依頼受信部が受信した前記企業識別情報に対応する店舗識別情報それぞれにより特定される店舗に関する情報を前記顧客情報記憶部から読み出し、店舗識別情報毎に、デバイスの種類に対応した前記レイアウトデータにより示されるテキストまたは画像の組み込み位置に、前記作成依頼受信部が受信した前記テキストまたは前記画像のデータを組み込むとともに、当該レイアウトデータにより示される店舗に関する情報の組み込み位置に当該店舗識別情報により特定される店舗に関する情報を組み込んで各店舗のクーポン画面データを生成する、
ことを特徴とする請求項１に記載のクーポン配信システム。
【請求項５】
前記クーポン配信装置は、クーポン画面データと、デバイスの種類と、配信期間とを対応づけて記憶する掲載予約クーポン記憶部をさらに備え、
前記クーポン掲載部は、前記クーポン作成部がデバイスの種類に対応した前記レイアウトデータに基づいて作成した前記クーポン画面データと、当該デバイスの種類と、前記作成依頼受信部が受信した前記配信期間とを対応づけて前記掲載予約クーポン記憶部に書き込むとともに、当該掲載予約クーポン記憶部から前記配信期間により示される掲出開始日時を経過したクーポン画面データを特定し、特定したクーポン画面データと、当該クーポン画面データに対応する前記デバイスの種類及び前記配信期間とを前記掲載クーポン記憶部に書き込む、
ことを特徴とする請求項１から請求項４のいずれかの項に記載のクーポン配信システム。
【請求項６】
ネットワークを介して消費者端末と接続されるクーポン配信装置であって、
デバイスの種類と、当該種類のデバイスが表示可能なフォーマットによるクーポン画面のレイアウトデータとを対応づけて記憶するレイアウト情報記憶部と、
クーポン画面データと、デバイスの種類と、配信期間とを対応づけて記憶する掲載クーポン記憶部と、
クーポン画面に表示するテキストまたは画像のデータと、クーポンの配信期間を受信する作成依頼受信部と、
前記レイアウト情報記憶部からデバイスの種類に対応した前記レイアウトデータを読み出し、当該レイアウトデータにより示されるテキストまたは画像の組み込み位置に、前記作成依頼受信部が受信した前記テキストまたは前記画像のデータを組み込んでクーポン画面データを生成するクーポン作成部と、
前記クーポン作成部がデバイスの種類に対応した前記レイアウトデータに基づいて作成した前記クーポン画面データと、当該デバイスの種類と、前記作成依頼受信部が受信した前記配信期間とを対応づけて前記掲載クーポン記憶部に書き込むクーポン掲載部と、
前記掲載クーポン記憶部から、前記配信期間により示されるクーポン取り下げ日時を経過した前記クーポン画面データを削除するクーポン取り下げ部と、
前記消費者端末からデバイスの種類とクーポンの配信要求とを受信し、前記掲載クーポン記憶部に受信した当該デバイスの種類に対応した前記クーポン画面データが登録されている場合、当該クーポン画面データを読み出して返送するクーポン提供部と、
を備えることを特徴とするクーポン配信装置。
【請求項７】
クーポンを作成するクーポン配信装置と、当該クーポン配信装置とネットワークを介して接続される消費者端末とを有するクーポン配信システムに用いられるクーポン配信方法であって、
前記クーポン配信装置は、
デバイスの種類と、当該種類のデバイスが表示可能なフォーマットによるクーポン画面のレイアウトデータとを対応づけて記憶するレイアウト情報記憶部と、
クーポン画面データと、デバイスの種類と、配信期間とを対応づけて記憶する掲載クーポン記憶部とを備え、
前記クーポン配信装置の作成依頼受信部が、クーポン画面に表示するテキストまたは画像のデータと、クーポンの配信期間を受信する作成依頼受信過程と、
前記クーポン配信装置のクーポン作成部が、前記レイアウト情報記憶部からデバイスの種類に対応した前記レイアウトデータを読み出し、当該レイアウトデータにより示されるテキストまたは画像の組み込み位置に、前記作成依頼過程において受信した前記テキストまたは前記画像のデータを組み込んでクーポン画面データを生成するクーポン作成過程と、
前記クーポン配信装置のクーポン掲載部が、前記クーポン作成過程においてデバイスの種類に対応した前記レイアウトデータに基づいて作成された前記クーポン画面データと、当該デバイスの種類と、前記作成依頼受信過程において受信した前記配信期間とを対応づけて前記掲載クーポン記憶部に書き込むクーポン掲載過程と、
前記クーポン配信装置のクーポン取り下げ部が、前記配信期間により示されるクーポン取り下げ日時を経過した前記クーポン画面データを前記掲載クーポン記憶部から削除するクーポン取り下げ過程と、
前記消費者端末の処理部が、前記クーポン配信装置に自端末のデバイスの種類とクーポンの配信要求とを送信する配信要求送信過程と、
前記クーポン配信装置のクーポン提供部が、前記消費者端末からデバイスの種類とクーポンの配信要求とを受信し、当該デバイスの種類に対応した前記クーポン画面データを前記掲載クーポン記憶部から読み出して返送する配信過程と、
前記消費者端末の前記処理部が、前記配信要求に対応してクーポン配信装置から受信した前記クーポン画面データを表示させる表示過程と、
を有することを特徴とするクーポン配信方法。
【請求項８】
ネットワークを介して消費者端末と接続され、
デバイスの種類と、当該種類のデバイスが表示可能なフォーマットによるクーポン画面のレイアウトデータとを対応づけて記憶するレイアウト情報記憶部と、
クーポン画面データと、デバイスの種類と、配信期間とを対応づけて記憶する掲載クーポン記憶部とを備えるクーポン配信装置に用いられるクーポン配信方法であって、
作成依頼受信部が、クーポン画面に表示するテキストまたは画像のデータと、クーポンの配信期間を受信する作成依頼受信過程と、
クーポン作成部が、前記レイアウト情報記憶部からデバイスの種類に対応した前記レイアウトデータを読み出し、当該レイアウトデータにより示されるテキストまたは画像の組み込み位置に、前記作成依頼過程において受信した前記テキストまたは前記画像のデータを組み込んでクーポン画面データを生成するクーポン作成過程と、
クーポン掲載部が、前記クーポン作成過程においてデバイスの種類に対応した前記レイアウトデータに基づいて作成された前記クーポン画面データと、当該デバイスの種類と、前記作成依頼受信過程において受信した前記配信期間とを対応づけて前記掲載クーポン記憶部に書き込むクーポン掲載過程と、
クーポン取り下げ部が、前記配信期間により示されるクーポン取り下げ日時を経過した前記クーポン画面データを前記掲載クーポン記憶部から削除するクーポン取り下げ過程と、
クーポン提供部が、前記消費者端末からデバイスの種類とクーポンの配信要求とを受信し、前記掲載クーポン記憶部に受信した当該デバイスの種類に対応した前記クーポン画面データが登録されている場合、当該クーポン画面データを読み出して返送する配信過程と、
を有することを特徴とするクーポン配信方法。
【発明の詳細な説明】
【技術分野】
【０００１】
本発明は、インターネットを介して消費者の端末へクーポンを配信するクーポン配信システム、クーポン配信装置、及び、クーポン配信方法に関する。
【背景技術】
【０００２】
近年、買い物や飲食などのために店舗を利用するにあたって、消費者がインターネット上で提供される店舗の情報を参照することがよくある。このような店舗の情報を提供するサイトには、消費者の端末へクーポンを配信するものがあり、これによって消費者の来店を促進している。また、特許文献１には、クーポンの発行者がインターネットを介してクーポンの内容及び画像を登録し、クーポンの利用者は、インターネットを介して所望のクーポンを検索し、携帯電話に表示させることが記載されている。
【先行技術文献】
【特許文献】
【０００３】
【特許文献１】特開２００２−１０９３５３号公報
【発明の概要】
【発明が解決しようとする課題】
【０００４】
消費者が利用するインターネットに接続するときに使用する端末には、パーソナルコンピュータ、各携帯電話会社の携帯電話など複数の種類がある。したがって、各種端末にクーポンを配信するには、各端末において表示可能なそれぞれのファイル形式により画面データを作成しなければならなかった。しかし、上述する特許文献１は、複数の種類の端末によって表示可能なクーポンを生成するものではない。
【０００５】
本発明は、このような事情を考慮してなされたもので、その目的は、クーポン作成依頼者である企業、店舗等が指定したテキストや画像から、各種端末用のクーポンを一括して作成し、消費者の任意の種類の端末へクーポンを提供することができるクーポン配信システム、クーポン配信装置、及び、クーポン配信方法を提供することにある。
【課題を解決するための手段】
【０００６】
上記目的を達成するために、請求項１に記載の発明は、クーポン配信装置と、当該クーポン配信装置とネットワークを介して接続される消費者端末とを有するクーポン配信システムであって、前記クーポン配信装置は、デバイスの種類と、当該種類のデバイスが表示可能なフォーマットによるクーポン画面のレイアウトデータとを対応づけて記憶するレイアウト情報記憶部と、クーポン画面データと、デバイスの種類と、配信期間とを対応づけて記憶する掲載クーポン記憶部と、クーポン画面に表示するテキストまたは画像のデータと、クーポンの配信期間を受信する作成依頼受信部と、前記レイアウト情報記憶部からデバイスの種類に対応した前記レイアウトデータを読み出し、当該レイアウトデータにより示されるテキストまたは画像の組み込み位置に、前記作成依頼受信部が受信した前記テキストまたは前記画像のデータを組み込んでクーポン画面データを生成するクーポン作成部と、前記クーポン作成部がデバイスの種類に対応した前記レイアウトデータに基づいて作成した前記クーポン画面データと、当該デバイスの種類と、前記作成依頼受信部が受信した前記配信期間とを対応づけて前記掲載クーポン記憶部に書き込むクーポン掲載部と、前記掲載クーポン記憶部から、前記配信期間により示されるクーポン取り下げ日時を経過した前記クーポン画面データを削除するクーポン取り下げ部と、前記消費者端末からデバイスの種類とクーポンの配信要求とを受信し、当該デバイスの種類に対応した前記クーポン画面データを前記掲載クーポン記憶部から読み出して返送するクーポン提供部と、を備え、前記消費者端末は、前記クーポン配信装置に自端末のデバイスの種類とクーポンの配信要求とを送信するとともに、当該配信要求に対応して受信した前記クーポン画面データを表示させる処理部を備える、ことを特徴とするクーポン配信システムである。
【０００７】
請求項２に記載の発明は、請求項１に記載のクーポン配信システムであって、前記ネットワークには依頼者端末が接続され、前記レイアウト情報記憶部は、依頼者確認用のクーポン画面データの生成に用いるレイアウトデータである確認用レイアウトデータをさらに記憶し、前記クーポン作成部は、前記レイアウト情報記憶部から前記確認用レイアウトデータを読み出し、当該確認用レイアウトデータにより示されるテキストまたは画像の組み込み位置に、前記作成依頼受信部が受信した前記テキストまたは前記画像のデータを組み込んで依頼者確認用のクーポン画面データを生成するとともに、前記依頼者端末から前記依頼者確認用のクーポン画像データに対する修正を受信した場合に、前記レイアウト情報記憶部から各デバイスの種類に対応した前記レイアウトデータを複数読み出し、それぞれのレイアウトデータにより示されるテキストまたは画像の組み込み位置に、前記作成依頼受信部が受信した前記テキストまたは前記画像のデータを組み込み、かつ、前記依頼者端末から受信した前記依頼者確認用のクーポン画像データに対する修正を行なったクーポン画面データを生成し、前記クーポン配信装置は、前記クーポン作成部が生成した前記依頼者確認用のクーポン画面データを前記ネットワークに接続される依頼者端末へ送信する作成イメージ送信部をさらに備え、前記依頼者端末は、前記クーポン配信装置から受信した前記依頼者確認用のクーポン画像データを表示させるとともに、依頼者によって入力された当該クーポン画像データに対する修正を前記クーポン配信装置に送信する処理部を備える、ことを特徴とする。
【０００８】
請求項３に記載の発明は、請求項１または請求項２に記載のクーポン配信システムであって、前記クーポン配信装置は、クーポンの配信要求の受信ログと配信要求数を記憶するログ記憶部と、前記消費者端末から受信した配信要求から消費者識別情報を取得し、取得した当該消費者識別情報と、配信要求受信日時とを対応づけてログ記憶部に書き込み、前記ログ記憶部に前記配信期間内の配信要求受信日時と対応して当該消費者識別情報が複数登録されていない場合に、前記ログ記憶部に記憶されている前記配信要求数を１加算するログ管理部とをさらに備える、ことを特徴とする。
【０００９】
請求項４に記載の発明は、請求項１に記載のクーポン配信システムであって、前記クーポン配信装置は、企業識別情報に対応した複数の店舗識別情報と、当該店舗識別情報により特定される店舗に関する情報とを記憶する顧客情報記憶部をさらに備え、前記作成依頼受信部は、さらに、企業識別情報を受信し、前記クーポン作成部は、デバイスの種類に対応した前記レイアウトデータを前記レイアウト情報記憶部から読み出すとともに、前記作成依頼受信部が受信した前記企業識別情報に対応する店舗識別情報それぞれにより特定される店舗に関する情報を前記顧客情報記憶部から読み出し、店舗識別情報毎に、デバイスの種類に対応した前記レイアウトデータにより示されるテキストまたは画像の組み込み位置に、前記作成依頼受信部が受信した前記テキストまたは前記画像のデータを組み込むとともに、当該レイアウトデータにより示される店舗に関する情報の組み込み位置に当該店舗識別情報により特定される店舗に関する情報を組み込んで各店舗のクーポン画面データを生成する、ことを特徴とする。
【００１０】
請求項５に記載の発明は、請求項１から請求項４のいずれかの項に記載のクーポン配信システムであって、前記クーポン配信装置は、クーポン画面データと、デバイスの種類と、配信期間とを対応づけて記憶する掲載予約クーポン記憶部をさらに備え、前記クーポン掲載部は、前記クーポン作成部がデバイスの種類に対応した前記レイアウトデータに基づいて作成した前記クーポン画面データと、当該デバイスの種類と、前記作成依頼受信部が受信した前記配信期間とを対応づけて前記掲載予約クーポン記憶部に書き込むとともに、当該掲載予約クーポン記憶部から前記配信期間により示される掲出開始日時を経過したクーポン画面データを特定し、特定したクーポン画面データと、当該クーポン画面データに対応する前記デバイスの種類及び前記配信期間とを前記掲載クーポン記憶部に書き込む、ことを特徴とする。
【００１１】
請求項６に記載の発明は、ネットワークを介して消費者端末と接続されるクーポン配信装置であって、デバイスの種類と、当該種類のデバイスが表示可能なフォーマットによるクーポン画面のレイアウトデータとを対応づけて記憶するレイアウト情報記憶部と、クーポン画面データと、デバイスの種類と、配信期間とを対応づけて記憶する掲載クーポン記憶部と、クーポン画面に表示するテキストまたは画像のデータと、クーポンの配信期間を受信する作成依頼受信部と、前記レイアウト情報記憶部からデバイスの種類に対応した前記レイアウトデータを読み出し、当該レイアウトデータにより示されるテキストまたは画像の組み込み位置に、前記作成依頼受信部が受信した前記テキストまたは前記画像のデータを組み込んでクーポン画面データを生成するクーポン作成部と、前記クーポン作成部がデバイスの種類に対応した前記レイアウトデータに基づいて作成した前記クーポン画面データと、当該デバイスの種類と、前記作成依頼受信部が受信した前記配信期間とを対応づけて前記掲載クーポン記憶部に書き込むクーポン掲載部と、前記掲載クーポン記憶部から、前記配信期間により示されるクーポン取り下げ日時を経過した前記クーポン画面データを削除するクーポン取り下げ部と、前記消費者端末からデバイスの種類とクーポンの配信要求とを受信し、前記掲載クーポン記憶部に受信した当該デバイスの種類に対応した前記クーポン画面データが登録されている場合、当該クーポン画面データを読み出して返送するクーポン提供部と、を備えることを特徴とするクーポン配信装置である。
【００１２】
請求項７に記載の発明は、クーポンを作成するクーポン配信装置と、当該クーポン配信装置とネットワークを介して接続される消費者端末とを有するクーポン配信システムに用いられるクーポン配信方法であって、前記クーポン配信装置は、デバイスの種類と、当該種類のデバイスが表示可能なフォーマットによるクーポン画面のレイアウトデータとを対応づけて記憶するレイアウト情報記憶部と、クーポン画面データと、デバイスの種類と、配信期間とを対応づけて記憶する掲載クーポン記憶部とを備え、前記クーポン配信装置の作成依頼受信部が、クーポン画面に表示するテキストまたは画像のデータと、クーポンの配信期間を受信する作成依頼受信過程と、前記クーポン配信装置のクーポン作成部が、前記レイアウト情報記憶部からデバイスの種類に対応した前記レイアウトデータを読み出し、当該レイアウトデータにより示されるテキストまたは画像の組み込み位置に、前記作成依頼過程において受信した前記テキストまたは前記画像のデータを組み込んでクーポン画面データを生成するクーポン作成過程と、前記クーポン配信装置のクーポン掲載部が、前記クーポン作成過程においてデバイスの種類に対応した前記レイアウトデータに基づいて作成された前記クーポン画面データと、当該デバイスの種類と、前記作成依頼受信過程において受信した前記配信期間とを対応づけて前記掲載クーポン記憶部に書き込むクーポン掲載過程と、前記クーポン配信装置のクーポン取り下げ部が、前記配信期間により示されるクーポン取り下げ日時を経過した前記クーポン画面データを前記掲載クーポン記憶部から削除するクーポン取り下げ過程と、前記消費者端末の処理部が、前記クーポン配信装置に自端末のデバイスの種類とクーポンの配信要求とを送信する配信要求送信過程と、前記クーポン配信装置のクーポン提供部が、前記消費者端末からデバイスの種類とクーポンの配信要求とを受信し、当該デバイスの種類に対応した前記クーポン画面データを前記掲載クーポン記憶部から読み出して返送する配信過程と、前記消費者端末の前記処理部が、前記配信要求に対応してクーポン配信装置から受信した前記クーポン画面データを表示させる表示過程と、を有することを特徴とするクーポン配信方法である。
【００１３】
請求項８に記載の発明は、ネットワークを介して消費者端末と接続され、デバイスの種類と、当該種類のデバイスが表示可能なフォーマットによるクーポン画面のレイアウトデータとを対応づけて記憶するレイアウト情報記憶部と、クーポン画面データと、デバイスの種類と、配信期間とを対応づけて記憶する掲載クーポン記憶部とを備えるクーポン配信装置に用いられるクーポン配信方法であって、作成依頼受信部が、クーポン画面に表示するテキストまたは画像のデータと、クーポンの配信期間を受信する作成依頼受信過程と、クーポン作成部が、前記レイアウト情報記憶部からデバイスの種類に対応した前記レイアウトデータを読み出し、当該レイアウトデータにより示されるテキストまたは画像の組み込み位置に、前記作成依頼過程において受信した前記テキストまたは前記画像のデータを組み込んでクーポン画面データを生成するクーポン作成過程と、クーポン掲載部が、前記クーポン作成過程においてデバイスの種類に対応した前記レイアウトデータに基づいて作成された前記クーポン画面データと、当該デバイスの種類と、前記作成依頼受信過程において受信した前記配信期間とを対応づけて前記掲載クーポン記憶部に書き込むクーポン掲載過程と、クーポン取り下げ部が、前記配信期間により示されるクーポン取り下げ日時を経過した前記クーポン画面データを前記掲載クーポン記憶部から削除するクーポン取り下げ過程と、クーポン提供部が、前記消費者端末からデバイスの種類とクーポンの配信要求とを受信し、前記掲載クーポン記憶部に受信した当該デバイスの種類に対応した前記クーポン画面データが登録されている場合、当該クーポン画面データを読み出して返送する配信過程と、を有することを特徴とするクーポン配信方法である。
【発明の効果】
【００１４】
請求項１、６、７及び８の発明によれば、クーポン作成依頼者である企業や店舗等が指定したテキストや画像を用いて、パーソナルコンピュータや各社の携帯電話などの複数種類のデバイスそれぞれに対応したフォーマットにより、統一したイメージのクーポンを一括して生成することができる。このように、各種端末に適したフォーマットのクーポンが複数作成されるため、消費者は任意の端末によってクーポンを取得することができ、当該端末にクーポンを表示したときの見易さが向上するとともに、クーポン作成依頼者である企業や店舗等の所望する意匠を反映したクーポンを提供することができる。そして、クーポンの配信期間を過ぎた場合には、クーポンの配信を停止することができる。
また、請求項２の発明によれば、クーポンの配信前に表示イメージを依頼者が確認し、必要に応じて修正を行なうことができる。
また、請求項３の発明によれば、実際のクーポン配信数を把握することが可能となる。
また、請求項４の発明によれば、クーポン作成依頼者である企業が複数の店舗を有する場合に、各店舗のクーポンを一括して作成することが可能となる。
また、請求項５の発明によれば、配信開始前にクーポンを作成しておき、企業により指定された配信開示日時にクーポンの配信を開始することができる。
【図面の簡単な説明】
【００１５】
【図１】本発明の一実施形態によるクーポン配信システムの構成を示す機能ブロック図である。
【図２】同実施形態によるクーポン画面データの表示イメージを示す図である。
【図３】同実施形態によるレイアウトデータテーブルのデータ構成例を示す図である。
【図４】同実施形態による顧客管理データのデータ構成例を示す図である。
【図５】同実施形態による素材データのデータ構成例を示す図である。
【図６】同実施形態による掲載予約クーポンデータのデータ構成例を示す図である。
【図７】同実施形態による掲載クーポンデータのデータ構成例を示す図である。
【図８】同実施形態によるクーポン配信装置のクーポン登録処理フローを示す図である。
【図９】同実施形態によるクーポン作成依頼情報、クーポン修正依頼情報の入力画面の表示イメージを示す図である。
【図１０】同実施形態によるクーポン配信装置のクーポン配信処理フローを示す図である。
【発明を実施するための形態】
【００１６】
以下、図面を参照しながら本発明の実施形態を詳細に説明する。
図１は、本発明の一実施形態によるクーポン配信システムの構成を示す機能ブロック図であり、発明と関係する機能ブロックのみ抽出して示してある。同図において、クーポン配信システムは、クーポン作成依頼者の保有する依頼者端末１と、クーポン配信業者の保有するクーポン配信装置２と、消費者の保有する消費者端末５とをインターネットなどのネットワークＮを介して接続してなる。クーポン作成依頼者（以下、単に「依頼者」と記載）は、店舗を保有する企業の担当者であってもよく、企業からの依頼を受けたクーポン配信業者の担当者でもあってもよい。同図においては、依頼者端末１及び消費者端末５をそれぞれ１台のみ記載しているが、複数台がネットワークＮに接続される。
【００１７】
依頼者端末１は、例えば、パーソナルコンピュータなどのコンピュータ装置であり、通信部１１、入力部１２、出力部１３、及び、処理部１４を備える。通信部１１は、ネットワークＮを介して情報を送受信する。入力部１２は、キーボードやマウスなどであり、依頼者の操作による情報の入力を受ける。出力部１３は、ＬＣＤ（Liquid Crystal Display）やＣＲＴ（cathode ray tube）などのディスプレイである。処理部１４は、クーポンに表示する素材文字データ及び素材画像データを設定したクーポン作成依頼情報を通信部１１によりクーポン配信装置２へ送信させたり、通信部１１を介してクーポン配信装置２から受信した依頼者確認用のクーポン画面データを出力部１３へ表示させたりする。なお、素材文字データは、テキストデータであるが、テキストデータに文字色、フォントの種類、フォントサイズなどの文字装飾の情報を付加したものであってもよい。
【００１８】
消費者端末５は、例えば、パーソナルコンピュータや、各携帯電話会社の携帯電話などのコンピュータ装置であり、通信部５１、入力部５２、出力部５３、及び、処理部５４を備える。通信部５１は、ネットワークＮを介して情報を送受信する。入力部５２は、キーボードやマウス、ボタンなどであり、消費者の操作による情報の入力を受ける。出力部５３は、ＬＣＤなどのディスプレイである。処理部５４は、クーポン配信要求を通信部５１によりクーポン配信装置２へ送信させたり、通信部５１を介してクーポン配信装置２から受信したクーポン画面データを出力部５３へ表示させたりする。
【００１９】
クーポン配信装置２は、例えば、１台または複数台のサーバ等で実現することができ、通信部２１、入力部２２、出力部２３、処理部３０、顧客情報記憶部４１、レイアウト情報記憶部４２、素材記憶部４３、掲載予約クーポン記憶部４４、掲載クーポン記憶部４５、及び、ログ記憶部４６を備える。
【００２０】
顧客情報記憶部４１は、各企業の店舗に関する情報を示す顧客管理データを記憶する。レイアウト情報記憶部４２は、各種デバイス用、及び、依頼者確認用のクーポン画面データを生成するためのレイアウトデータを記憶する。ここで、各種デバイスとは、消費者端末５の種類であり、例えば、パーソナルコンピュータ、Ａ社携帯電話、Ｂ社携帯電話、…などである。素材記憶部４３は、依頼者端末１から受信した素材文字データ及び素材画像データ等を示す素材データを記憶する。掲載予約クーポン記憶部４４は、消費者端末５へ配信される前のクーポン画面データやクーポン配信期間を記憶する。掲載クーポン記憶部４５は、消費者端末５へ配信中のクーポン画面データを記憶する。ログ記憶部４６は、クーポンの配信に関するログデータやクーポン配信数を記憶する。
【００２１】
通信部２１は、ネットワークＮを介して情報を送受信する。入力部２２は、キーボードやマウスなどであり、クーポン配信業者の担当者の操作による情報の入力を受ける。出力部２３は、ＬＣＤなどのディスプレイである。
【００２２】
処理部３０は、作成依頼受信部３１、クーポン作成部３２、作成イメージ送信部３３、確認結果受信部３４、クーポン掲載部３５、取り下げ部３６、クーポン提供部３７、及び、ログ管理部３８を備える。
作成依頼受信部３１は、依頼者端末１からクーポン作成依頼情報を受信し、当該クーポン作成依頼情報から読み出した素材文字データ及び素材画像データ等を設定した素材データを素材記憶部４３に書き込む。クーポン作成部３２は、レイアウト情報記憶部４２から各種デバイス用のレイアウトデータを読み出し、読み出した各レイアウトデータに、顧客情報記憶部４１に記憶されている顧客管理データ内の情報や、素材記憶部４３に記憶されている素材データ内の情報を、当該レイアウトデータが指定するテキストや画像の表示位置へ埋め込んで、各種デバイス用のクーポン画面データを作成する。また、クーポン作成部３２は、レイアウト情報記憶部４２から依頼者確認用のレイアウトデータを読み出し、顧客管理データ内の情報や素材データ内の情報を、当該レイアウトデータが指定するテキストや画像の表示位置へ埋め込んで、依頼者確認用のクーポン画面データを生成する。作成イメージ送信部３３は、クーポン作成部３２が生成した依頼者確認用のクーポン画面データを依頼者端末１へ送信する。確認結果受信部３４は、作成イメージ送信部３３が送信した依頼者確認用のクーポン画面データに対応して、承認する旨の情報、あるいは、クーポン画面データの修正内容を示すクーポン修正依頼情報を受信する。
【００２３】
クーポン掲載部３５は、クーポン作成部３２により作成された各種デバイス用のクーポン画面データを、掲載予約クーポン記憶部４４または掲載クーポン記憶部４５へ登録する。取り下げ部３６は、掲載期間を過ぎたクーポン画面データを掲載クーポン記憶部４５から削除する。クーポン提供部３７は、消費者端末５からクーポン配信要求を受信し、受信したクーポン配信要求により指定される店舗のクーポン画面データを掲載クーポン記憶部４５から読み出して返送する。ログ管理部３８は、クーポンの配信に関するログデータや、クーポン配信数をログ記憶部４６へ書き込む。
【００２４】
図２は、消費者端末５によるクーポン画面データの表示イメージを示す図である。
同図において、クーポン画面データにより表示されるクーポンには、ヘッダ表示領域Ａ１、指定文字情報表示領域Ａ２及びＡ２’、指定画像表示領域Ａ３、企業情報表示領域Ａ４、サイト情報表示領域Ａ５が含まれる。ヘッダ表示領域Ａ１には、店舗名を表示する店舗表示領域Ａ１１、各種クーポン配信サイトで使用されるマークを表示するマーク表示領域Ａ１２、及び、企業のロゴを表示する企業ロゴ表示領域Ａ１３などが含まれ、「お買い得クーポン」などの文字列や現在時刻も表示する。指定文字情報表示領域Ａ２及びＡ２’、指定画像表示領域Ａ３にはそれぞれ、依頼者端末１から受信した素材文字データ、素材画像データが表示される。企業情報表示領域Ａ４は、顧客管理データから読み出した情報や、顧客管理データにより示されるリンク先サイト、例えば、店舗の所在地を示すサイトへのリンクが表示される。サイト情報表示領域Ａ５には、クーポンの配信期間や、クーポン配信サイトのロゴなど、クーポン配信サイトに関する情報を表示する。
【００２５】
次に、クーポン配信装置２が記憶する各種データについて説明する。
図３は、レイアウト情報記憶部４２に記憶されるレイアウトデータテーブルのデータ構成例を示す図である。レイアウト情報記憶部４２には、依頼者確認用、及び、各種デバイス用のレイアウトデータが記憶される。レイアウトデータには、対応するデバイスの種類、つまり、パーソナルコンピュータや、各携帯電話会社の携帯電話それぞれに表示可能なデータ記述形式のフォーマットが用いられ、このフォーマットにより指定される画面のサイズもデバイスの種類に対応している。例えば、デバイスがパーソナルコンピュータであるときには、データ記述形式としてＨＴＭＬ（Hypertext Markup Language）を使用する。また、依頼者確認用のレイアウトデータもＨＴＭＬを使用するものとする。
【００２６】
レイアウトデータには、ヘッダ表示領域Ａ１、指定文字情報表示領域Ａ２、指定画像表示領域Ａ３、企業情報表示領域Ａ４、サイト情報表示領域Ａ５、ヘッダ表示領域Ａ１内における店舗表示領域Ａ１１、マーク表示領域Ａ１２及び企業ロゴ表示領域Ａ１３等の各表示領域の表示位置や背景色と、各表示領域に固定またはデフォルトで表示すべき情報、文字、画像データと、文字を表示する場合はその文字色、フォントの種類、フォントサイズなどの文字装飾との情報が含まれる。固定で表示すべきものには、例えば、ヘッダ表示領域Ａ１内に表示する「お買い得クーポン」の文字列及び現在時刻の情報や、サイト情報表示領域Ａ５に表示するクーポン配信サイト用のロゴの画像データ及び配信期間の情報などがある。また、デフォルトで表示すべきものには、例えば、店舗表示領域Ａ１１に表示する店舗名の情報、マーク表示領域Ａ１２に表示するマークの画像データがある。
【００２７】
図４は、顧客情報記憶部４１に記憶される顧客管理データのデータ構成例を示す図である。同図において、顧客管理データには、顧客である各企業を特定する企業識別情報、当該企業の企業名、当該企業の店舗を識別する店舗識別情報、当該店舗の店舗名、当該店舗の担当者名、住所、電話番号、緯度、経度、お店のカテゴリ、ロゴ画像データ、エラー画面データ、クーポンのヘッダ情報のデフォルト値、掲示ＵＲＬ、リンク先等の情報が含まれる。ロゴ画像データは、企業のロゴを表示する画像データである。エラー画面データは、クーポンが発行されていない期間に消費者端末５へ表示させる画面データであり、各種デバイス用の画面データが含まれる。クーポンのヘッダ情報のデフォルト値は、例えば、ヘッダ表示領域Ａ１の背景の色や、マーク表示領域Ａ１２に表示させる各種デバイス用のマークの画像データなどを示す。掲示ＵＲＬ（Universal Resource Locator）は、当該店舗のクーポンを配信するクーポン配信サイトのＵＲＬを示し、各種デバイス用のＵＲＬが含まれる。リンク先は、各デバイス用のリンク先サイトのＵＲＬを示す。このリンク先サイトは、当該店舗に関する情報、例えば、店舗の所在地を示す地図を表示するサイトである。このサイトは、緯度及び経度の情報に基づいて所在地を示すマークを地図上に付加するものであってもよい。
【００２８】
図５は、素材記憶部４３に記憶される素材データのデータ構成例を示す図である。同図において、素材データには、企業識別情報、店舗識別情報、素材文字データ、素材画像データ、ヘッダ表示情報、及び、承認用連絡先の情報が含まれる。ヘッダ表示情報は、例えば、ヘッダ表示領域Ａ１の背景色を指定する情報である。なお、レイアウトデータ内に指定文字情報表示領域、指定画像表示領域が複数組み込まれている場合、その数に応じて、素材文字データ、素材画像データを複数指定することができる。承認用連絡先は、依頼者確認用のクーポン画面データの送信先アドレスを示す。
【００２９】
図６は、掲載予約クーポン記憶部４４に記憶される掲載予約クーポンデータのデータ構成例を、図７は、掲載クーポン記憶部４５に記憶される掲載クーポンデータのデータ構成例を示す図である。掲載予約クーポンデータ及び掲載クーポンデータは、同一のデータ構成であり、企業識別情報、店舗識別情報、クーポン画面データ、クーポンの掲出開始日時、クーポンの掲出を終える日時であるクーポン取り下げ日時、及び、どの表示デバイス用のクーポン画面データであるかを示す対象デバイスの情報が含まれる。
【００３０】
次に、クーポン配信システムの処理を説明する。クーポン配信装置２の顧客情報記憶部４１には顧客管理データが、レイアウト情報記憶部４２にはレイアウトデータが予め記憶されているものとする。
【００３１】
図８は、クーポン配信装置２におけるクーポン登録処理フローを示す図である。
まず、依頼者は、依頼者端末１の入力部１２により、企業識別情報、店舗識別情報、クーポンの配信期間、クーポンに組み込む素材文字データ及び素材画像データを入力する。ここでは、素材文字データはテキストデータであり、２つの素材文字データを入力するものとする。さらに、依頼者は、クーポン作成イメージの承認依頼が必要な場合は承認用連絡先を、クーポンのヘッダの背景色を指定したい場合はその指定する背景色を示すヘッダ表示情報を、クーポンの配信対象デバイスを指定する場合にはその対象デバイスの種類を入力する。依頼者が入力部１２によりクーポン作成依頼送信指示を入力すると、処理部１４は、入力された企業識別情報、店舗識別情報、クーポン配信期間、素材文字データ、素材画像データ、承認用連絡先、ヘッダ表示情報及び対象デバイスの種類を設定したクーポン作成依頼情報をクーポン配信装置２へ送信するよう通信部１１に指示する。
【００３２】
クーポン配信装置２の作成依頼受信部３１は、通信部２１を介して依頼者端末１から送信されたクーポン作成依頼情報を受信する（ステップＳ１１０）。作成依頼受信部３１は、クーポン作成依頼情報から取得した企業識別情報、店舗識別情報、承認用連絡先、素材文字データ、素材画像データ、ヘッダ表示情報を設定した素材データを素材記憶部４３に書き込む（ステップＳ１２０）。
【００３３】
クーポン作成部３２は、顧客によるクーポン作成イメージの承認依頼が必要である場合、つまり、クーポン作成依頼情報に承認用連絡先が設定されている場合（ステップＳ１３０：ＹＥＳ）、レイアウト情報記憶部４２から依頼者確認用のレイアウトデータ（以下、「確認用レイアウトデータ」と記載）を読み出す。この確認用レイアウトデータは、所定の種類のデバイス用、例えば、携帯電話会社Ａの携帯電話用のクーポン画面データを生成したときの画面イメージをＨＴＭＬデータ形式により生成するものである。一般に、携帯電話に用いられる画面データのデータ記述形式は、レイアウトのために使用可能な情報量がＨＴＭＬよりも少ない。そこで、レイアウトをより詳細に指定可能なＨＴＭＬを使用して依頼者確認用のクーポン画面データを生成する。また、ＨＴＭＬは多くのパーソナルコンピュータや、一部の携帯電話にも表示可能であり、この点からも依頼者確認用に適している。
【００３４】
クーポン作成部３２は、クーポン作成依頼情報に設定されている企業識別情報及び店舗識別情報により特定される顧客管理データを特定する。そして、確認用レイアウトデータに、特定した顧客管理データ内の情報や、ステップＳ１２０において書き込んだ素材データ内の素材文字データ及び素材画像データを埋め込んで、依頼者確認用のクーポン画面データを生成する（ステップＳ１４０）。
【００３５】
具体的には、クーポン作成部３２は、素材データ内の２つの素材文字データを、確認用レイアウトデータで示される指定文字情報表示領域Ａ２、Ａ２’にそれぞれ埋め込み、素材データ内の素材画像データを、確認用レイアウトデータで示される指定画像表示領域Ａ３に埋め込む。さらに、クーポン作成部３２は、クーポン作成依頼情報に設定されている配信期間をサイト情報表示領域Ａ５に埋め込む。また、現在時間を確認用レイアウトデータで示されるヘッダ表示領域Ａ１に埋め込む。
【００３６】
続いて、クーポン作成部３２は、確認用レイアウトデータで指定される店舗表示領域Ａ１１に顧客管理データ内の店舗名を、企業ロゴ表示領域Ａ１３に顧客管理データ内のロゴ画像データを、企業情報表示領域Ａ４に顧客管理データ内の企業名を埋め込む。ただし、企業情報表示領域Ａ４には、リンクを示す文字、例えば、「□  店舗地図」のみを記述し、実際のリンクは埋め込まない。
また、クーポン作成部３２は、顧客管理データ内のヘッダ情報デフォルト値に携帯電話会社Ａの携帯電話用のマーク画像データが設定されていれば、確認用レイアウトデータで指定されるマークの画像データに代えてマーク表示領域Ａ１２に埋め込み、素材データのヘッダ表示情報、あるいは、顧客管理データ内のヘッダ情報デフォルト値により背景色が指定されていれば、確認用レイアウトデータで指定されるヘッダ表示領域Ａ１のデフォルトの背景色をこの指定された背景色に変更する。なお、素材データ内のヘッダ表示情報を顧客管理データ内のヘッダ情報デフォルト値の指定よりも優先させる。
【００３７】
作成イメージ送信部３３は、素材データに設定されている承認用連絡先を宛先とし、クーポン作成部３２により生成された依頼者確認用のクーポン画面データを電子メールにより送信する（ステップＳ１５０）。このとき、受信したクーポン作成依頼情報内の全ての情報または一部の情報を併せて送信してもよい。
【００３８】
依頼者端末１の処理部１４は、クーポン配信装置２から受信した依頼者確認用のクーポン画面データや、クーポン作成依頼情報を出力部１３に表示させる。依頼者は、依頼者端末１に表示されるクーポン画面を確認し、修正がある場合には、当該クーポン画面データを編集する。例えば、入力部１２により、素材文字データのテキストや、文字装飾（文字色、フォントの種類、フォントサイズ）の変更を入力する。また、素材画像データやヘッダ表示情報、配信期間などを変更してもよい。依頼者が入力部１２によりクーポン作成イメージの承認依頼の要否と、クーポン修正依頼送信指示とを入力すると、処理部１４は、編集されたクーポン画面データ、変更された素材画像データ、ヘッダ表示情報、配信期間と、クーポン作成イメージの確認の要否とを設定したクーポン修正依頼情報をクーポン配信装置２へ送信するよう通信部１１に指示する。
【００３９】
クーポン配信装置２の確認結果受信部３４は、通信部２１を介して依頼者端末１から送信されたクーポン修正依頼情報を受信する（ステップＳ１６０：ＹＥＳ）。確認結果受信部３４は、ステップＳ１４０において生成した依頼者確認用のクーポン画面データと、クーポン修正依頼情報に設定されている変更後のクーポン修正依頼情報とを比較し、指定文字情報表示領域Ａ２、Ａ２’における差分であるテキストデータや文字装飾の情報を、ステップＳ１２０において書き込んだ素材データに登録する。例えば、ＨＴＭＬの場合、これらの情報は、テキストデータと、当該テキストデータに付随するタグ情報により示される。また、クーポン修正依頼情報に変更後の素材画像データ、ヘッダ表示情報が設定されていれば、素材データの素材画像データ、ヘッダ表示情報に上書する（ステップＳ１２０）。
【００４０】
クーポン作成部３２は、クーポン修正依頼情報にクーポン作成イメージの承認依頼要が設定されている場合（ステップＳ１３０：ＹＥＳ）、再びステップＳ１４０と同様の処理により、確認用レイアウトデータに、顧客管理データ内の情報、素材データ内の素材文字データ及び素材画像データを埋め込んで、依頼者確認用のクーポン画面データを生成し（ステップＳ１４０）、依頼者端末１へ送信する（ステップＳ１５０）。ただし、素材文字データを埋め込む際には、クーポン修正依頼情報により指定された文字装飾の情報も反映させる。また、クーポン修正依頼情報に変更後の配信期間が設定されている場合、サイト情報表示領域Ａ５には、当該変更後の配信期間を表示させる。
【００４１】
依頼者端末１の処理部１４は、クーポン配信装置２から受信した依頼者確認用のクーポン画面データを出力部１３に表示させる。依頼者は、再び修正を行なう場合は、再び、クーポン画面データを編集し、承認する場合は、入力部１２により承認送信指示を入力する。処理部１４は、承認ＯＫを示す応答をクーポン配信装置２へ送信するよう通信部１１に指示する。
【００４２】
クーポン配信装置２の確認結果受信部３４が、通信部２１を介して依頼者端末１から承認ＯＫを示す応答を受信すると（ステップＳ１６０：ＮＯ）、クーポン作成部３２は、配信用のクーポンを作成する（ステップＳ１７０）。クーポン作成部３２は、レイアウト情報記憶部４２から、クーポン作成依頼情報に設定されている対象デバイスの種類に対応したレイアウトデータを読み出す。なお、クーポン作成依頼情報に対象デバイスの種類が設定されていない場合、確認用レイアウトデータを除く全てのデバイス用のレイアウトデータを読み出す。確認結果受信部３４は、読み出した各レイアウトデータを用いて、ステップＳ１４０と同様の処理により各種デバイス用のクーポン画面データを生成する。ただし、企業情報表示領域Ａ４には、リンクを示す文字、例えば、「□  店舗地図」に、顧客管理データに設定されているリンク先ＵＲＬへのリンクを埋め込む。また、素材文字データに文字装飾の情報が設定されている場合、各レイアウトデータに用いられている記述形式に変換して、指定文字情報表示領域Ａ２に埋め込む。この記述形式の変換ルールは、予めクーポン作成部３２が保持している。なお、マークの画像データやリンク先ＵＲＬは、デバイスの種類に対応したものを顧客管理データから読み出して埋め込む。
【００４３】
クーポン作成依頼情報内のクーポン配信期間が現在日時より後である場合（ステップＳ１８０：ＮＯ）、クーポン掲載部３５は、ステップＳ１７０において生成された各種デバイス用の掲載予約クーポンデータを掲載予約クーポン記憶部４４へ登録する（ステップＳ１９０）。つまり、クーポン掲載部３５は、デバイスの種類を示す対象デバイスと、当該デバイスの種類に対応するレイアウトデータに基づいて生成したクーポン画面データとを設定した掲載予約クーポンデータを掲載予約クーポン記憶部４４に新たに登録する。さらに、クーポン掲載部３５はこの新たに登録した各種デバイス用の掲載予約クーポンデータそれぞれに、クーポン作成依頼情報に設定されている企業識別情報及び店舗識別情報と、当該クーポン作成依頼情報に設定されている配信時間が示す掲出開始日時及びクーポン取り下げ日時を書き込む。なお、クーポン修正依頼情報により配信期間の変更を受信した場合は、変更後の配信時間が示す掲出開始日時及びクーポン取り下げ日時を書き込む。ログ管理部３８は、掲出開始日時及びクーポン取り下げ日時を設定した配信期間、企業識別情報、及び、店舗識別情報に対応付けて配信数０をログ記憶部４６に書き込む。
【００４４】
クーポン掲載部３５は定期的に掲載予約クーポン記憶部４４に記憶されている各掲載予約クーポンデータを参照し、現在日時または現在日時以前の掲出開始日時が設定されている掲載予約クーポンデータを特定する。クーポン掲載部３５は、特定した掲載予約クーポンデータを、掲載クーポンデータとして掲載クーポン記憶部４５に書き込むとともに、掲載予約クーポン記憶部４４から当該掲載予約クーポンデータを削除する（ステップＳ２００）。
【００４５】
取り下げ部３６は定期的に掲載クーポン記憶部４５に記憶されている各掲載クーポンデータを参照し、現在日時または現在日時以前の取り下げ日時が設定されている掲載クーポンデータを特定する。取り下げ部３６は、特定した掲載クーポンデータを掲載クーポン記憶部４５から削除する（ステップＳ２１０）。
【００４６】
なお、ステップＳ１８０において、クーポン作成依頼情報に掲出開始日時が設定されていないか、すぐに掲出が設定されている場合（ステップＳ１８０：ＹＥＳ）、クーポン掲載部３５は、ステップＳ１７０において生成された各種デバイス毎の掲載クーポンデータを掲載クーポン記憶部４５へ登録する（ステップＳ２２０）。つまり、クーポン掲載部３５は、デバイスの種類を示す対象デバイスと、当該デバイスの種類に対応するレイアウトデータに基づいて生成したクーポン画面データとを設定した掲載クーポンデータを掲載クーポン記憶部４５に新たに登録する。さらに、クーポン掲載部３５はこの新たに登録した各種デバイス用の掲載クーポンデータそれぞれに、クーポン作成依頼情報に設定されている企業識別情報及び店舗識別情報と、当該クーポン作成依頼情報に設定されている配信時間が示す掲出開始日時及びクーポン取り下げ日時を書き込む。なお、クーポン修正依頼情報により配信期間の変更を受信した場合は、変更後の配信時間が示す掲出開始日時及びクーポン取り下げ日時を書き込む。ログ管理部３８は、掲出開始日時及びクーポン取り下げ日時を設定した配信期間、企業識別情報、及び、店舗識別情報に対応付けて配信数０をログ記憶部４６に書き込む。
【００４７】
また、ステップＳ１３０において、承認依頼が不要であると判断した場合（ステップＳ１３０：ＮＯ）、ステップＳ１７０以降の処理を行なう。
【００４８】
なお、ステップＳ１４０において、クーポン作成部３２により生成された依頼者確認用のクーポン画面データを所定のＵＲＬに登録し、当該ＵＲＬを電子メールにて依頼者端末１へ送信することでもよい。依頼者は、依頼者端末１により通知されたＵＲＬにアクセスして、クーポン画面データを取得する。
また、依頼者は、修正依頼内容を電子メールや電話によってクーポン配信サイトの担当者へ通知し、クーポン配信サイトの担当者がクーポン配信装置２の出力部２３に当該店舗の依頼者確認用のクーポン画面データを表示させながら、入力部２２によって当該クーポン画面データに対する修正を入力し、編集することでもよい。
【００４９】
図９は、依頼者端末１に表示されるクーポン作成依頼情報、クーポン修正依頼情報の入力画面を示す図である。当該入力画面データは、依頼者端末１に予め記憶しておくことでもよく、依頼者端末１がクーポン配信装置２から受信することでもよい。
同図において、入力画面には、企業名の入力フィールドＦ１、店舗名の入力フィールドＦ２、素材画像データのファイル名入力フィールドＦ３、素材文字データの入力フィールドＦ４、ヘッダ表示色の入力フィールドＦ５、取り下げ日時の入力フィールドＦ６、掲出開始日時を指定するか否かの選択ボタンＢ１、掲出開始日時の入力フィールドＦ７、承認依頼が必要であるか否かの選択ボタンＢ２、承認依頼先の名前の入力フィールドＦ８、承認用連絡先となるメールアドレスの入力フィールドＦ９が表示されている。素材文字データの入力フィールドＦ４は、テキストデータを入力する。また、表示店舗名の入力フィールドＦ１０にテキストデータを入力した場合、顧客管理データ内の店舗名に代えて、店舗表示領域Ａ１１に表示される。
また、クーポン詳細情報エディタＥは、依頼者確認用のクーポン画面データを表示し、修正するためのフィールドである。依頼者端末１において、入力フィールドＦ１に入力された企業名を企業識別情報に、入力フィールドＦ２に入力された店舗名を店舗識別情報に変換してクーポン配信装置２に送信することでもよく、クーポン配信装置２において、依頼者端末１から受信した企業名を企業識別情報に、店舗名を店舗識別情報に変換してもよい。
【００５０】
図１０は、クーポン配信装置２におけるクーポン配信処理フローを示す図である。
消費者は、消費者端末５の入力部５２により、クーポンを取得したい企業及び店舗の情報を入力するとともに、クーポン配信サイトへのアクセス指示を入力する。ここでは、各企業の店舗毎にクーポン配信サイトのＵＲＬが異なり、かつ、デバイスの種類毎にクーポン配信サイトのＵＲＬのドメインが異なるものとする。つまり、クーポン配信サイトのＵＲＬ自体がデバイスの種類、企業及び店舗を特定する情報を含む。このＵＲＬは、予め顧客管理データに登録されており、クーポンが登録、削除された場合も変更しない。これにより消費者は、自分がよく利用する店舗のＵＲＬを利用して、常に当該店舗の最新のクーポン画面データをクーポン配信装置２から取得することができる。
消費者端末５の処理部５４は、消費者識別情報を設定したクーポン配信要求を、クーポン配信サイトのＵＲＬにより特定されるクーポン配信装置２へ送信するよう通信部５１へ指示する。消費者識別情報には、例えば、携帯電話番号や、インターネットプロバイダとの契約に使用しているユーザＩＤ、消費者が入力部５２により入力したクーポン配信サービスの会員ＩＤなどを用いることができる。
【００５１】
クーポン配信装置２の通信部２１が消費者端末５からクーポン配信要求を受信すると（ステップＳ３１０）、クーポン提供部３７は、受信したＵＲＬに対応した企業識別情報、店舗識別情報、及び、デバイスの種類により特定される掲載クーポン記憶部４５内の掲載クーポンデータを検索する（ステップＳ３２０）。なお、図８のステップＳ１９０における掲載予約クーポンデータの登録時、または、ステップＳ２２０における掲載クーポンデータの登録時に、顧客管理データから読み出した掲示ＵＲＬを設定しておき、受信したＵＲＬにより掲載クーポンデータを特定してもよい。
【００５２】
ステップＳ３２０における検索の結果、掲載クーポンデータが特定された場合（ステップＳ３３０：ＹＥＳ）、ログ管理部３８は、クーポン配信要求受信日時と、特定された掲載クーポンデータから読み出した企業識別情報、店舗識別情報、掲出開始日時及びクーポン取り下げ日時と、当該消費者端末５から受信した消費者識別情報、及び、デバイスの種類とを設定したログデータを生成し、ログ記憶部４６に書き込む（ステップＳ３４０）。
【００５３】
さらに、ログ管理部３８は、ステップＳ３４０において書き込んだログデータと同じ企業識別情報、店舗識別情報、掲出開始日時、クーポン取り下げ日時、消費者識別情報が設定された他のログデータがログ記憶部４６に記憶されているかを検索する。検索の結果、特定される他のログデータがない場合（ステップＳ３５０：ＹＥＳ）、つまり、クーポン配信期間において、クーポン配信要求元の消費者からの最初のクーポン配信要求であった場合、ログ記憶部４６に、掲出開始日時及びクーポン取り下げ日時で示される配信期間と、企業識別情報、店舗識別情報に対応付けて記憶されている配信数を、１加算した数に更新する（ステップＳ３６０）。クーポン提供部３７は、ステップＳ３２０の検索において特定した掲載クーポンデータからクーポン画面データを読み出して消費者端末５に返送する（ステップＳ３７０）。消費者端末５の処理部５４は、受信したクーポン画面データを出力部５３へ表示させる。
【００５４】
なお、ステップＳ３２０における検索の結果、掲載クーポンデータが特定されなかった場合（ステップＳ３３０：ＮＯ）、受信したＵＲＬに対応した企業識別情報、店舗識別情報により顧客情報記憶部４１内の顧客管理データを特定し、特定した顧客管理データからＵＲＬで示されるデバイスの種類に対応したエラー画面データを読み出して消費者端末５に返送する（ステップＳ３８０）。なお、特定される顧客管理データがない場合には、デバイスの種類に対応したデフォルトのエラー画面データを返送する。消費者端末５の処理部５４は、受信したエラー画面データを出力部５３へ表示する。
【００５５】
また、ステップＳ３５０において、特定されるログデータがあった場合（ステップＳ３５０：ＮＯ）、同一のクーポンについて同一の消費者から複数回の配信要求があったと判断し、配信数は加算せずにステップＳ３７０の処理を行なう。ただし、同一の消費者へ同一のクーポンの複数回の配信を制限する場合、ステップＳ３８０の処理を行なうようにしてもよい。
【００５６】
ログ管理部３８は、定期的にログ記憶部４６に登録されているログデータを参照し、企業識別情報及び店舗識別情報の組み合わせ毎に、過去一定期間において配信期間が更新される度に連続して出現する消費者識別情報を抽出し、記録する。クーポン配信事業者は、各企業は、必要に応じて、各企業へログ記憶部４６に記録された当該企業に関するログデータを配信する。
【００５７】
なお、予め各デバイスの種類毎にクーポン配信先となる消費者端末５のアドレス情報を掲載クーポン記憶部４５に記憶しておき、クーポン提供部３７は、掲載クーポン記憶部４５に掲載クーポンデータが登録された場合に、当該掲載クーポンデータに設定されている対象デバイスに対応するクーポン配信先のアドレス情報を宛先として当該掲載クーポンデータを配信してもよい。
【００５８】
なお、企業が１店舗のみを保有する場合、店舗識別情報を使用せず、企業識別情報のみを用いることでもよい。
【００５９】
なお、企業に複数の店舗がある場合、以下のようにして、複数店舗分のクーポンを生成することができる。
つまり、依頼者は、依頼者端末１の入力部１２により、企業識別情報及び店舗識別情報を入力する代わりに、企業識別情報のみを入力するか、対象となる店舗を特定する対象店舗情報、例えば、地域の情報を入力する。これより、ステップＳ１１０において、クーポン配信装置２の作成依頼受信部３１は、企業識別情報及び店舗識別情報に代えて、企業識別情報のみ、あるいは、企業識別情報及び対象店舗情報が設定されたクーポン作成依頼情報を受信する。
【００６０】
ステップＳ１２０において、クーポン作成依頼情報に店舗識別情報も対象店舗情報も設定されていない場合、作成依頼受信部３１は、顧客情報記憶部４１を検索して、クーポン作成依頼情報内の企業識別情報が設定されている顧客管理データを全て特定する。一方、クーポン作成依頼情報に対象店舗情報が設定されている場合、作成依頼受信部３１は、企業識別情報と、対象店舗情報で示される条件に合致する情報が登録されている顧客管理データを全て特定する。例えば、対象店舗情報が地域であった場合、住所が当該地域に含まれているかにより条件に合致するか否かを判断する。作成依頼受信部３１は、特定したそれぞれの顧客管理データから店舗識別情報を読み出すと、読み出した各店舗識別情報と、クーポン作成依頼情報から取得した企業識別情報、承認用連絡先、素材文字データ、素材画像データ、ヘッダ表示情報を設定した素材データを素材記憶部４３に書き込む。
【００６１】
そして、ステップＳ１３０において、顧客によるクーポン作成イメージの確認が必要であると判断した場合（ステップＳ１３０：ＹＥＳ）、クーポン作成部３２は、特定した顧客管理データのうちいずれか１つと、当該顧客管理データ内の店舗識別情報を用いて登録した素材データを用いて、ステップＳ１４０からの処理を行い、依頼者確認用のクーポン画面データを生成し、依頼者端末１へ送信する。
【００６２】
依頼者端末１から承認を示す応答を受信した場合（ステップＳ１６０：ＮＯ）、あるいは、承認依頼が不要の場合（ステップＳ１３０：ＮＯ）、ステップＳ１２０において特定した顧客管理データのそれぞれと、当該顧客管理データ内の店舗識別情報を用いて登録した素材データとを用いて、各店舗の配信用のクーポン画面データを作成するステップＳ１７０からの処理を行なう。
【００６３】
上記実施形態によれば、クーポン作成依頼者である企業や店舗等が指定したテキストや画像を用いて、パーソナルコンピュータや各社の携帯電話などの複数種類のデバイスそれぞれに対応したフォーマットにより、統一したイメージのクーポンを一括して生成することができる。このように、表示端末に適したフォーマットのクーポンが複数作成されるため、消費者は任意の端末によってクーポンを取得することができ、当該端末にクーポンを表示したときの見易さが向上するとともに、クーポン作成依頼者である企業や店舗等の所望する意匠を反映したクーポンを提供することができる。また、予めクーポンを作成しておき、所望の配信開示日時にクーポンの配信を開始したり、クーポンの配信期間を過ぎた場合に、クーポンの配信を停止したりすることができる。
また、クーポン作成依頼者はクーポンの配信前に表示イメージを確認することができ、必要に応じて修正を行なうこともできる。また、クーポンの配信ログを記録しておき、同じ消費者から同一のクーポンについての複数回の配信要求があった場合でも、実際のクーポン配信数を把握することが可能となる。
さらには、クーポン作成依頼者である企業が複数の店舗を有する場合に、各店舗のクーポンを一括して作成することが可能となる。
【００６４】
なお、上述の依頼者端末１、クーポン配信装置２、及び、消費者端末５は、内部にコンピュータシステムを有している。そして、依頼者端末１の処理部１４、クーポン配信装置２の処理部３０、及び、消費者端末５の処理部５４の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００６５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００６６】
１…依頼者端末
１１、２１、５１…通信部
１２、２２、５２…入力部
１３、２３、５３…出力部
１４、３０、５４…処理部
２…クーポン配信装置
３１…作成依頼受信部
３２…クーポン作成部
３３…作成イメージ送信部
３４…確認結果受信部
３５…クーポン掲載部
３６…取り下げ部
３７…クーポン提供部
３８…ログ管理部
４１…顧客情報記憶部
４２…レイアウト情報記憶部
４３…素材記憶部
４４…掲載予約クーポン記憶部
４５…掲載クーポン記憶部
４６…ログ記憶部
５…消費者端末
【図１】
2010237978.tif 000003
【図２】
2010237978.tif 000004
【図３】
2010237978.tif 000005
【図４】
2010237978.tif 000006
【図５】
2010237978.tif 000007
【図６】
2010237978.tif 000008
【図７】
2010237978.tif 000009
【図８】
2010237978.tif 000010
【図９】
2010237978.tif 000011
【図１０】
2010237978.tif 000012